(57)【要約】【課題】下枠に取り付けられるアンカー部材の構造を簡単にし、下枠と建物の躯体の間におけるアンカー部材による制約を緩和する。【解決手段】建具１は、建物１０の開口部１１に設置される枠体３の下枠５と、下枠５に取り付けられて下枠５を建物１０の躯体１３に連結するアンカー部材２１を備える。アンカー部材２１は、下枠５と躯体１３の間で室内外方向に沿って配置される下板部２３と、下板部２３から上側に突出して躯体１３に連結される連結部２５と、連結部２５の下端部に形成された凹部２６を有する。下枠５は、凹部２６内に配置されて、下板部２３と連結部２５の間に係止される凸部５Ｈを有する。【選択図】  図２
2018096051.tif 000002
【特許請求の範囲】
【請求項１】
建物の開口部に設置される枠体の下枠と、前記下枠に取り付けられて前記下枠を前記建物の躯体に連結するアンカー部材と、を備えた建具であって、
前記アンカー部材は、前記下枠と前記躯体の間で室内外方向に沿って配置される下板部と、前記下板部から上側に突出して前記躯体に連結される連結部と、前記連結部の下端部に形成された凹部と、を有し、
前記下枠は、前記凹部内に配置されて、前記下板部と前記連結部の間に係止される凸部を有する建具。
【請求項２】
請求項１に記載された建具において、
前記アンカー部材は、前記連結部よりも室内側に位置し、前記下枠に固定される固定部を有する建具。
【請求項３】
請求項１又は２に記載された建具において、
前記下板部は、前記連結部よりも室外側に位置し、機能部材が取り付けられる取付部を有する建具。
【請求項４】
請求項３に記載された建具において、
前記機能部材は、前記アンカー部材の下側で、取付部材により前記取付部に取り付けられる建具。
【請求項５】
請求項３又は４に記載された建具において、
前記機能部材は、前記下枠よりも室外側に突出する水切り部材である建具。
【請求項６】
請求項１ないし５のいずれかに記載された建具において、
前記下枠は、中空部と、前記中空部内を通る排水経路と、を有し、
前記凸部は、前記中空部から突出して形成される建具。
【請求項７】
請求項１ないし６のいずれかに記載された建具において、
前記下枠は、前記アンカー部材よりも室外側に形成されて下側に突出する突片を有し、
前記アンカー部材は、前記突片との間にシール材の配置空間を形成する建具。
【発明の詳細な説明】
【技術分野】
【０００１】
本発明は、下枠を建物の躯体に連結するアンカー部材を備えた建具に関する。
【背景技術】
【０００２】
建物の開口部に設置される建具においては、連結部を有するアンカー部材を用いて、下枠を建物の躯体に連結することがある。アンカー部材は、下枠に取り付けられて、連結部により躯体に連結される。また、従来、アンカー部材を備えた建具として、枠側固定部材（アンカー部材）の連結部を溶接により躯体の鉄筋に固定する開口部装置が知られている（特許文献１参照）。
【０００３】
ところが、特許文献１に記載された従来の開口部装置では、下枠への固定のために、連結部とは別に、複数の固定部を枠側固定部材に形成する必要があり、枠側固定部材の構造が複雑になることがある。また、連結部が下側に大きく突出しており、例えば、連結部と躯体の距離によっては、下枠を躯体の開口部に容易に設置できない虞がある。連結部に起因して、枠側固定部材と躯体の間の空間を確保できず、枠側固定部材の下側の空間を有効に活用できない虞もある。このように、枠側固定部材により、下枠と躯体の間において、開口部装置の設置が制約されることが懸念される。
【先行技術文献】
【特許文献】
【０００４】
【特許文献１】特開２０１３−２１２８号公報
【発明の概要】
【発明が解決しようとする課題】
【０００５】
本発明は、前記従来の問題に鑑みなされたもので、その目的は、下枠に取り付けられるアンカー部材の構造を簡単にするとともに、下枠と建物の躯体の間におけるアンカー部材による制約を緩和することである。
【課題を解決するための手段】
【０００６】
本発明は、建物の開口部に設置される枠体の下枠と、前記下枠に取り付けられて前記下枠を前記建物の躯体に連結するアンカー部材と、を備えた建具である。前記アンカー部材は、前記下枠と前記躯体の間で室内外方向に沿って配置される下板部と、前記下板部から上側に突出して前記躯体に連結される連結部と、前記連結部の下端部に形成された凹部と、を有する。前記下枠は、前記凹部内に配置されて、前記下板部と前記連結部の間に係止される凸部を有する。
【発明の効果】
【０００７】
本発明によれば、下枠に取り付けられるアンカー部材の構造を簡単にできるとともに、下枠と建物の躯体の間におけるアンカー部材による制約を緩和することができる。
【図面の簡単な説明】
【０００８】
【図１】本実施形態の建具の正面図である。
【図２】本実施形態の下枠が設置された建物を示す断面図である。
【図３】本実施形態のアンカー部材の斜視図である。
【図４】他の実施形態の建具の断面図である。
【発明を実施するための形態】
【０００９】
本発明の建具の一実施形態について、図面を参照して説明する。
以下では、引き違い形式の開閉窓（引き違い窓）を例にとり、本実施形態の建具について説明する。
【００１０】
図１は、本実施形態の建具１の正面図であり、室内側からみた建具１を模式的に示している。
図示のように、建具１は、建物１０の開口部１１に設置されて、建物１０の室内と室外の間に配置される。また、建具１は、引き違い障子である一対の障子２と、一対の障子２を囲む枠体３と、枠体３を建物１０に連結する複数のアンカー部材２０〜２２と、枠体３の下側に設けられた水切り部材３０を備えている。建物１０は、例えば、鉄筋コンクリート造の建物、鉄骨造の建物、ＡＬＣ（Autoclaved Lightweight Concrete）造の建物、又は、ＰＣ（Precast Concrete）造の建物である。
【００１１】
一対の障子２は、方形状の可動体であり、室外側の外障子２Ａと室内側の内障子２Ｂからなる。一対の障子２は、枠体３の開口部３Ａに開閉可能に配置されて、開口部３Ａ内で、水平方向にスライドして移動する。障子２の移動（スライド）により、枠体３の開口部３Ａが開閉される。一対の障子２を閉じた状態で、一対の障子２は、クレセント錠４０により施錠される。
【００１２】
障子２は、方形状の框体４１と、框体４１内に配置されたパネル体４２を有する。框体４１は、枠組みされた４つの框４３〜４６（上框４３、下框４４、召し合せ框４５、戸先框４６）を有する。框４３〜４６は、框体４１を構成する長尺な框材であり、方形状に組み合わされて、それぞれパネル体４２の縁部に沿って配置される。パネル体４２は、例えば、複数のガラス板を有する複層ガラスであり、框体４１に嵌め込まれる。
【００１３】
枠体３は、建物１０の開口部１１に設置される方形状の開口枠（窓枠）であり、建物１０の開口部１１を囲む縁部（開口縁部１２）に沿って配置されて、複数のアンカー部材２０〜２２により、建物１０の開口縁部１２に連結される。また、枠体３は、枠組みされた４つの枠４〜６（上枠４、下枠５、一対の縦枠６）を有し、枠４〜６により、方形状の開口部３Ａを形成する。枠４〜６は、枠体３を構成する長尺な枠材であり、方形状に組み合わされて、それぞれ障子２の縁部に沿って配置される。
【００１４】
アンカー部材２０〜２２は、枠体３の枠４〜６を建物１０の躯体１３に連結する連結部品であり、各枠４〜６に対して枠体３の外部側（開口部３Ａの反対側）に設けられる。複数のアンカー部材２０〜２２は、各枠４〜６の長手方向に間隔を開けて配置されて、各枠４〜６に取り付けられる。アンカー部材２０〜２２は、枠４〜６に取り付けられた状態で、固定手段により、躯体１３に設けられた被連結部に固定されて、躯体１３の被連結部に連結される。枠４〜６は、それぞれ複数のアンカー部材２０〜２２により、建物１０の開口部１１を囲む躯体１３（被連結部）に連結されて、躯体１３に固定される。水切り部材３０は、下枠５の複数のアンカー部材２１（下アンカー部材）に取り付けられて、アンカー部材２１により下枠５に連結される。
【００１５】
図２は、本実施形態の下枠５が設置された建物１０を示す断面図であり、図１のＸ−Ｘ線で切断した下枠５、アンカー部材２１、及び、水切り部材３０を示している。
図示のように、建具１は、躯体１３の上側に配置される枠体３の下枠５と、下枠５に対して躯体１３側に設けられるアンカー部材２１を備えている。下枠５は、一対の縦枠６の間に配置される下枠本体５Ａと、下枠本体５Ａに装着される２つのカバー部材５Ｂ、５Ｃを有する。アンカー部材２１は、下枠５（ここでは、下枠本体５Ａ）に取り付けられて、下枠５を建物１０の躯体１３に連結する。
【００１６】
下枠本体５Ａは、下枠５のベース部材であり、カバー部材５Ｂ、５Ｃは、下枠本体５Ａの開口部３Ａ側の表面を覆う。また、下枠本体５Ａは、金属製の枠部材（金属枠部）であり、カバー部材５Ｂ、５Ｃは、合成樹脂製の枠部材（樹脂枠部）である。従って、下枠５は、金属と樹脂からなる複合枠である。下枠本体５Ａは、金属（ここでは、アルミニウム合金）の押出成形により成形され、カバー部材５Ｂ、５Ｃは、合成樹脂の押出成形により成形される。
【００１７】
下枠５は、下枠本体５Ａに形成された見込み部５Ｄ、中空部５Ｅ、室内側部５Ｆ、突片５Ｇ、凸部５Ｈ、及び、排水経路５Ｋを有する。見込み部５Ｄは、枠体３の開口部３Ａ側に位置する下枠本体５Ａの上面部であり、下枠５の見込み方向（室内外方向）に沿って形成されている。中空部５Ｅは、見込み部５Ｄの下側（躯体１３側）に中空状に形成され、躯体１３の上面部と対向する。室内側部５Ｆは、中空部５Ｅよりも室内側に形成された突片（室内側突片）であり、見込み部５Ｄの室内側の端部から下側に突出する。中空部５Ｅと室内側部５Ｆは、室内外方向に離間して形成される。
【００１８】
突片５Ｇは、中空部５Ｅよりも室外側に形成された室外側突片であり、中空部５Ｅよりも下側に突出する。また、突片５Ｇは、室内側に向かって開放された凹状の溝を有し、中空部５Ｅの室外側の部分に接続（連続）する。凸部５Ｈは、アンカー部材２１に係止される凸状の係止部（係止凸部）であり、中空部５Ｅの室内側の部分に接続（連続）し、中空部５Ｅからアンカー部材２１に向かって突出する。また、凸部５Ｈは、上下方向に対して傾斜する傾斜部５Ｌと、突出方向の先端部５Ｍを有する。傾斜部５Ｌは、上側から下側に向かってみたときに、上下方向に対して室内側に傾斜する。先端部５Ｍは、傾斜部５Ｌの下端部から室内側に突出する。
【００１９】
排水経路５Ｋは、少なくとも中空部５Ｅ内を通り、見込み部５Ｄの上面から下枠５Ａの室外側まで形成されている。排水孔が下枠本体５Ａの各部（見込み部５Ｄ、中空部５Ｅ等）に形成されて、排水経路５Ｋが下枠５に形成される。中空部５Ｅの内部は、排水経路５Ｋの排水孔を通して中空部５Ｅの外部につながる。見込み部５Ｄの上面に水が溜まったときに、水が排水経路５Ｋを通って下枠５Ａの外部に排水される。その際、水は、見込み部５Ｄの上面から中空部５Ｅの内部に移動し、中空部５Ｅの内部を通って、中空部５Ｅの室外側の外部まで流れる。
【００２０】
図３は、本実施形態のアンカー部材２１の斜視図である。
図２、図３に示すように、アンカー部材２１は、建物１０の躯体１３の上側に配置されて、躯体１３との間に空間を形成する。また、アンカー部材２１は、室内外方向に延びる下板部２３と、下枠５に固定される固定部２４と、躯体１３に連結される２つの連結部２５と、連結部２５に形成された凹部２６と、下板部２３に形成された取付部２７を有する。
【００２１】
下板部２３は、アンカー部材２１の板状の基部であり、下枠５と躯体１３の間で室内外方向に沿って配置される。また、下板部２３は、アンカー部材２１内で最も下側に位置し、躯体１３の上面部と対向する。室外側に位置する下板部２３の一部は、中空部５Ｅの下側に配置されて、中空部５Ｅの下端部に隣接する。
【００２２】
下枠５の突片５Ｇは、アンカー部材２１及び下板部２３よりも室外側に形成されて、下側（躯体１３側）に突出する。アンカー部材２１は、突片５Ｇから室内側に離間した位置に配置されて、突片５Ｇとの間に、シール材５０の配置空間５１を形成する。配置空間５１は、下枠５の下側にシール材５０を配置するための空間である。シール材５０は、配置空間５１の室外側の部分に配置されて、突起５Ｇに密着する。
【００２３】
固定部２４は、連結部２５よりも室内側に位置する板状の固定片であり、下板部２３の室内側の端部から上側に突出する。固定部２４は、下枠５の室内側部５Ｆに対して室内側に配置され、室内側部５Ｆに接触する状態で、ビス６０により室内側部５Ｆに固定される。２つの貫通孔２４Ａが固定部２４に形成され、２つのビス６０が貫通孔２４Ａに挿入された状態で室内側部５Ｆのネジ孔（雌ネジ）に取り付けられる。連結部２５は、固定部２４と取付部２７の間に位置する板状の連結片であり、下板部２３から上側に突出する。２つの連結部２５は、下板部２３の相対する２つの縁部に形成されて、中空部５Ｅの室内側に配置される。
【００２４】
連結部２５は、下枠５の中空部５Ｅと室内側部５Ｆの間の領域に配置される。固定手段であるロッド状の連結部材６１により、連結部２５が躯体１３の被連結部１４に固定されて、連結部２５及びアンカー部材２１が躯体１３に連結される。これにより、下枠５は、被連結部１４及び躯体１３に連結される。鉄筋１５の一部が躯体１３に埋設されて、鉄筋１５の露出部が被連結部１４になっている。凹状の収容部１３Ａが躯体１３の上面部に形成され、被連結部１４が収容部１３Ａに収容される。
【００２５】
連結部材６１は、躯体１３から上側に突出し、被連結部１４から連結部２５まで延びる。連結部材６１を被連結部１４と連結部２５に固定することで、連結部２５が被連結部１４に連結される。ここでは、連結部材６１は、鉄筋である。鉄筋は、スチール製の溶接部材の一例であり、連結部材６１は、鉄筋を切断等して形成される。連結部材６１は、連結部２５と被連結部１４に溶接されて、溶接により連結部２５と被連結部１４に固定される。従って、連結部２５は、アンカー部材２１の溶接部（溶接片）であり、被連結部１４は、躯体１３の溶接部である。連結部２５は、連結部材６１を介して、溶接により被連結部１４に連結される。
【００２６】
凹部２６は、下枠５の凸部５Ｈを係止する凹状の係止部（係止凹部）であり、２つの連結部２５の下端部に形成されている。連結部２５の下端部は、下板部２３に接続（連続）する連結部２５の根元部である。凹部２６は、連結部２５の下端部の室外側の部分に形成されて、室外側に向かって開放されている。凸部５Ｈは、下板部２３の上側で凹部２６に挿入されて、凹部２６内に配置される。その状態で、凹部２６の上側に位置する連結部２５に凸部５Ｈが引っ掛かるとともに、下板部２３と連結部２５に凸部５Ｈが挟まれる。これにより、凸部５Ｈは、下板部２３と連結部２５の間に係止される。
【００２７】
下板部２３は、下枠５の凸部５Ｈを連結部２５に押し付ける突起２８を有する。突起２８は、２つの連結部２５の凹部２６の間に形成されて、上側に隆起する。凸部５Ｈが凹部２６内に配置されたときに、突起２８は、凸部５Ｈの下面に接触して、凹部２６の上側に位置する連結部２５に凸部５Ｈを押し付ける。凸部５Ｈは、下板部２３の突起２８と連結部２５にガタツキなく挟まれて、凹部２６に保持される。その際、凸部５Ｈの先端部５Ｍが、２つの連結部２５の凹部２６内に配置されて、下板部２３と２つの連結部２５の間に係止される。
【００２８】
アンカー部材２１は、凸部５Ｈの係止と固定部２４の固定により、室内外方向に離間した２箇所で下枠５に取り付けられる。また、アンカー部材２１は、凹部２６内の凸部５Ｈのみを介して、下枠５の中空部５Ｅに取り付けられる。凸部５Ｈの傾斜部５Ｌは、連結部２５の室外側に配置され、連結部２５は、傾斜部５Ｌと固定部２４の間に配置される。
【００２９】
下板部２３は、連結部２５及び凸部５Ｈよりも室外側に位置する取付部２７を有する。取付部２７は、下板部２３の室外側に向かって延びる部分（室外側部）であり、中空部５Ｅの下側に配置される。水切り部材３０は、建具１に設けられた機能部材の一例であり、取付部２７に直接又は間接に取り付けられる。機能部材は、建具１において所定の機能を発揮する部材であり、下枠５の下側で取付部２７に取り付けられる。また、機能部材は、例えば、下枠５よりも室外側に設けられる室外側部材であり、下枠５よりも室外側で所定の機能を発揮する。
【００３０】
水切り部材３０は、アンカー部材２１の下側で、取付手段である取付部材６２により、下板部２３の取付部２７に取り付けられて、下枠５よりも室外側に突出する。取付部材６２は、断面Ｌ字状の固定部材６３と、固定部材６３を水切り部材３０と取付部２７に固定するビス６４、６５を有する。一方のビス６４は、室外側から水切り部材３０の貫通孔に挿入された状態で、固定部材６３のネジ孔に取り付けられる。他方のビス６５は、下側から固定部材６３の貫通孔に挿入された状態で、取付部２７のネジ孔２７Ａに取り付けられる。
【００３１】
水切り部材３０は、下面に設けられた２つの係止片３１を有し、保持部材６６により保持される。保持部材６６は、鉄筋６７と係止部６８を有し、躯体１３と水切り部材３０の間で、室内外方向に沿って配置される。係止部６８は、鉄筋６７に固定され、係止片３１に係止される。係止部６８により、保持部材６６は、水切り部材３０に係止されて、水切り部材３０を保持する。鉄筋６７は、係止部６８から被連結部１４まで延び、溶接により被連結部１４に固定される。保持部材６６により、水切り部材３０は、被連結部１４及び躯体１３に連結される。
【００３２】
下枠５を建物１０の開口部１１に設置するときには、下枠５の凸部５Ｈをアンカー部材２１の凹部２６に挿入して、凸部５Ｈをアンカー部材２１に係止する。また、ビス６０により、アンカー部材２１の固定部２４を下枠５の室内側部５Ｆに固定する。続いて、下枠５を躯体１３に対して位置決めし、連結部材６１をアンカー部材２１の連結部２５と躯体１３の被連結部１４に溶接する。連結部材６１により、アンカー部材２１及び下枠５を躯体１３に連結する。次に、取付部材６２により、水切り部材３０をアンカー部材２１に取り付ける。その状態で、水切り部材３０に係止された保持部材６６の鉄筋６７を被連結部１４に溶接して、水切り部材３０を躯体１３に連結する。
【００３３】
次に、モルタル５２を、下枠５と躯体１３の間の所定部分、及び、水切り部材３０と躯体１３の間の所定部分に充填する。また、バックアップ材５３を、下枠５と水切り部材３０の間の所定部分に充填し、シール材５０を、下枠５と水切り部材３０の間の所定部分、及び、水切り部材３０の室外側端部の下側部分に充填する。下枠５と水切り部材３０の間で、シール材５０は、バックアップ材５３の室外側に設けられて、バックアップ材５３の室外側の表面を覆う。
【００３４】
アンカー部材２１と下枠５の突片５Ｇの間の配置空間５１では、シール材５０が、室外側に配置されて、突起５Ｇの溝を埋めるように、突起５Ｇに密着する。バックアップ材５３は、シール材５０の室内側の空間を充填する。表面板１６が下枠５と躯体１３の室内側に設置され、額縁１７が表面板１６の上端部に取り付けられる。また、断熱材が、表面板１６、躯体１３、額縁１７、下枠５、及び、モルタル５２に囲まれた空間に設けられる。
【００３５】
以上説明した建具１では、連結部２５の凹部２６を利用して、下枠５の凸部５Ｈを下板部２３と連結部２５の間に係止しており、アンカー部材２１の構造を簡単にすることができる。また、アンカー部材２１を容易に加工できるとともに、凸部５Ｈをアンカー部材２１に容易に係止することができる。
【００３６】
アンカー部材２１内で、連結部２５は、下板部２３から上側にのみ突出する。そのため、下枠５の下側において、アンカー部材２１と躯体１３の間に空間を確保でき、アンカー部材２１の下側の空間を有効に活用することができる。これに伴い、アンカー部材２１により建具１の設置が制約されるのを抑制することができる。また、アンカー部材２１の下側の空間の利用の自由度を高くでき、下枠５を様々な建物１０の開口部１１に設置することができる。建具１の機能部材をアンカー部材２１の下側に容易に設けることもできる。このように、下枠５と躯体１３の間におけるアンカー部材２１による制約を緩和することができる。
【００３７】
アンカー部材２１の固定部２４を下枠５に固定することで、アンカー部材２１を安定して下枠５に取り付けることができる。また、固定部２４を連結部２５よりも室内側で下枠５に容易に固定することができる。中空部５Ｅから突出して形成された凸部５Ｈにアンカー部材２１を係止して取り付けており、アンカー部材２１の取り付け用の部分（例えば、ネジ孔）を中空部５Ｅ自体に形成する必要がない。そのため、中空部５Ｅの水密性能に影響が生じるのを防止して、排水経路５Ｋの水が中空部５Ｅから躯体１３側に漏れるのを抑制することができる。アンカー部材２１と突片５Ｇの間に配置空間５１を形成することで、シール材５０の配置作業（充填作業）を容易に行うことができる。
【００３８】
水切り部材３０は、下板部２３の取付部２７に取り付けられて、アンカー部材２１を介して下枠５に連結される。そのため、水切り部材３０の取り付け用の部分（例えば、ネジ孔）を下枠５に形成する必要がなく、下枠５の構造を簡単にできるとともに、下枠５の水密性能に影響が生じるのを防止することができる。アンカー部材２１の下側で、取付部材６２により、水切り部材３０を取付部２７に容易に取り付けることができる。
【００３９】
なお、ビス６０以外の固定手段（例えば、係止機構）により、アンカー部材２１の固定部２４を下枠５に固定してもよい。また、水切り部材３０をビスのみにより取付部２７に取り付けてもよく、水切り部材３０を取付部２７に係止することで、水切り部材３０を取付部２７に取り付けてもよい。建具１の機能部材は、水切り部材３０以外の機能部材（例えば、シャッターの下枠、雨戸の下枠、格子の取付枠）であってもよい。下枠５を建物１０の開口部１１に設置する施工手順を変更してもよく、建物１０や建具１の状況に対応して、下枠５は建物１０の開口部１１に種々の施工手順で設置される。
【００４０】
図４は、他の実施形態の建具１の断面図であり、図２と同様に、下枠５が設置された建物１０を示している。
図示のように、ここでは、建具１は水切り部材３０を有さず、水切り部材３０がアンカー部材２１の下板部２３に取り付けられていない。下枠５の中空部５Ｅは、躯体１３の上側に配置されて、躯体１３の上面部と対向する。室外側に位置する下板部２３の一部は、中空部５Ｅと躯体１３の間に配置される。このように、機能部材が下板部２３に取り付けられなくてもよい。
【００４１】
以上、建具１が引き違い窓である例について説明したが、建具１は、他の窓（例えば、すべり出し窓、上げ下げ窓、開閉窓、固定窓）であってもよい。また、建具１は、窓以外の建具（例えば、ドア）であってもよい。本発明は、アンカー部材２１を備えた種々の建具に適用することができる。
【符号の説明】
【００４２】
１・・・建具、２・・・障子、３・・・枠体、４・・・上枠、５・・・下枠、６・・・縦枠、１０・・・建物、１１・・・開口部、１２・・・開口縁部、１３・・・躯体、１４・・・被連結部、１５・・・鉄筋、１６・・・表面板、１７・・・額縁、２０・・・アンカー部材、２１・・・アンカー部材、２２・・・アンカー部材、２３・・・下板部、２４・・・固定部、２５・・・連結部、２６・・・凹部、２７・・・取付部、２８・・・突起、３０・・・水切り部材、３１・・・係止片、４０・・・クレセント錠、４１・・・框体、４２・・・パネル体、４３・・・上框、４４・・・下框、４５・・・召し合せ框、４６・・・戸先框、５０・・・シール材、５１・・・配置空間、５２・・・モルタル、５３・・・バックアップ材、６０・・・ビス、６１・・・連結部材、６２・・・取付部材、６３・・・固定部材、６４・・・ビス、６５・・・ビス、６６・・・保持部材、６７・・・鉄筋、６８・・・係止部。
【図１】
2018096051.tif 000003
【図２】
2018096051.tif 000004
【図３】
2018096051.tif 000005
【図４】
2018096051.tif 000006